(57)【要約】【課題】  拡張現実の画像を適切に見ることができる表示システムを提供する。【解決手段】  本発明の表示システム１００は、撮像カメラ１１０により運転者のアイポイントＰを検出し、アイポイントＰが、拡張現実の可視範囲であるアイボックスＥＢの最適範囲Ｔ２にあるとき、拡張現実の表示が欠損する方向に強調表示３１０を行い、かつ拡張現実の表示が欠損しない方向への頭部の誘導をするヒント表示３２０を行う。また、アイポイントＰがアイボックスＥＢから逸脱する場合には、拡張現実の表示が欠損するので、そのような不完全な情報が表示されないようにする。【選択図】  図７
2019018770.tif 000002
【特許請求の範囲】
【請求項１】
画像を投射する投射手段と、
ユーザーのアイポイントを検出する検出手段と、
少なくとも前記投射手段の光学系に基づき定義される投射画像を見ることができる可視範囲と前記検出手段により検出されたアイポイントとを比較する比較手段と、
前記比較手段に基づき前記投射画像を制御する画像制御手段とを有し、
前記画像制御手段は、前記アイポイントが前記可視範囲内の最適範囲を逸脱するとき、前記投射画像画像に、前記拡張現実の表示が欠損することを知らせる強調表示を含ませる、表示システム。
【請求項２】
前記画像制御手段は、前記投射画像に、前記投射画像の表示が欠損する方向に対応する位置に前記強調表示を含ませる、請求項１に記載の表示システム。
【請求項３】
前記画像制御手段は、前記投射画像に、前記アイポイントが前記最適範囲となる方向を案内する案内表示を含ませる、請求項１または２に記載の表示システム。
【請求項４】
前記画像制御手段は、前記アイポイントが前記可視範囲を逸脱するとき、前記投射画像から、前記投射画像の表示が欠損する領域の画像を削除する、請求項１ないし３いずれか１つに記載の表示システム。
【請求項５】
前記画像制御手段は、前記アイポイントが前記可視範囲を逸脱するとき、前記投射画像の表示が欠損する領域の画像が表示されるように、前記投射画像の表示が欠損する領域の画像を移動させる、請求項１ないし３いずれか１つに記載の表示システム。
【請求項６】
前記画像制御手段は、前記アイポイントが前記可視範囲を逸脱するとき、前記投射画像の表示が欠損する領域の画像が表示されるように、前記投射画像を縮小する、請求項１ないし３いずれか１つに記載の表示システム。
【請求項７】
前記画像制御手段は、前記アイポイントが前記可視範囲を逸脱するとき、前記投射画像の全体が非表示となるように前記投射画像を制御する、請求項１ないし３いずれか１つに記載の表示システム。
【発明の詳細な説明】
【技術分野】
【０００１】
本発明は、ヘッドアップディスプレイを用いた拡張現実（ＡＲ：Augmented Reality）等の投射画像を表示可能なヘッドアップディスプレイ装置に関する。
【背景技術】
【０００２】
運転者の視線移動を減らす表示システムとして、運転者の視線方向に映像を映し出すヘッドアップディスプレイ（以下、ＨＵＤという）が実用化されている。代表的なＨＵＤは、車内に設置された画像投射装置（プロジェクター）により画像をフロントウィンドに投射し、運転者がスクリーン越しの現実空間上に投射画像の虚像を見ることを可能にする。
【０００３】
ＨＵＤは、運転者の顔の位置や姿勢、視線方向等によって見え方が異なるため、適切な画像を視認するためには、運転者自身が最適な位置にいる必要がある。例えば、特許文献１は、運転席シートの状態およびヘッドレストに取り付けられたセンサにより運転者の顔の位置を検出し、当該検出結果に基づき運転者の顔の位置の調整量や誘導量を算出し、これを運転者に通知するシステムを開示している。
【先行技術文献】
【特許文献】
【０００４】
【特許文献１】特開２００９−１１３６２１号公報
【発明の概要】
【発明が解決しようとする課題】
【０００５】
図９に、従来のＨＵＤの概略構成を示す。同図に示すように、ＨＵＤ１０から投射された画像が車両のウィンドシールド１２に投影され、運転者Ｕは、その視線方向に投射された画像の虚像１４を見ることができる。ＨＵＤ１０の特性上、運転者Ｕのアイポイント（目の位置）が適切な範囲になければ、運転者Ｕは虚像１４を見ることができない。ここで、ある２次元空間において、運転者Ｕが虚像１４を見ることができる可視範囲をアイボックス２０として定義する。
【０００６】
図９（Ｂ）に示すように、運転者ＵのアイポイントＥがアイボックス２０内であれば、運転者Ｕは、ＨＵＤ１０により投射された交差点案内の虚像３０を完全に見ることができる。アイポイントＥは、例えば、運転者Ｕの両眼の中心である。また、図９（Ｃ）に示すように、運転者ＵのアイポイントＥがアイボックス２０の境界付近あるいはアイボックス２０から外れると、運転者Ｕは、交差点案内の虚像３０を完全に見ることができず、その一部が欠けて見えてしまう。さらに運転者ＵのアイポイントＥがアイボックス２０から大きく外れれば、運転者Ｕは、交差点案内の虚像３０を完全に見ることができなくなる。
【０００７】
運転中は、運転者は、しばしば周囲を確認するために頭を動かすことがあり、そうするとアイポイントがアイボックスから外れて、投射画像の虚像を見ることができなくなる。しかし、運転者には、アイポイントがアイボックスから外れたか否かを直感的に認識することができない。また、運転者自身には、投射画像の虚像がちょうどよく見える頭の位置（ファインポジション）への調整が難しい。
【０００８】
本発明は、このような従来の課題を解決するものであり、投射画像を適切に見ることができる表示システムを提供することを目的とする。
【課題を解決するための手段】
【０００９】
本発明に係る表示システムは、画像を投射する投射手段と、ユーザーのアイポイントを検出する検出手段と、少なくとも前記投射手段の光学系に基づき定義される投射画像を見ることができる可視範囲と前記検出手段により検出されたアイポイントとを比較する比較手段と、前記比較手段に基づき前記投射画像を制御する画像制御手段とを有し、前記画像制御手段は、前記アイポイントが前記可視範囲内の最適範囲を逸脱するとき、前記投射画像画像に、前記拡張現実の表示が欠損することを知らせる強調表示を含ませる。
【００１０】
好ましくは前記画像制御手段は、前記投射画像に、前記投射画像の表示が欠損する方向に対応する位置に前記強調表示を含ませる。好ましくは前記画像制御手段は、前記投射画像に、前記アイポイントが前記最適範囲となる方向を案内する案内表示を含ませる。好ましくは前記画像制御手段は、前記アイポイントが前記可視範囲を逸脱するとき、前記投射画像から、前記投射画像の表示が欠損する領域の画像を削除する。好ましくは前記画像制御手段は、前記アイポイントが前記可視範囲を逸脱するとき、前記投射画像の表示が欠損する領域の画像が表示されるように、前記投射画像の表示が欠損する領域の画像を移動させる。好ましくは前記画像制御手段は、前記アイポイントが前記可視範囲を逸脱するとき、前記投射画像の表示が欠損する領域の画像が表示されるように、前記投射画像を縮小する。好ましくは前記画像制御手段は、前記アイポイントが前記可視範囲を逸脱するとき、前記投射画像の全体が非表示となるように前記投射画像を制御する。
【発明の効果】
【００１１】
本発明によれば、可視範囲の最適範囲からユーザーのアイポイントが逸脱されたとき、投射画像の表示が欠損することを知らせるようにしたので、ユーザーは、アイポイントを最適範囲へ戻すことを知ることができ、その結果、ユーザーは、アイポイントを最適範囲にして投射画像を見ることができる。また、アイポイントが可視範囲から逸脱した場合には、投射画像の欠損した部分を非表示にしたり、あるいは投射画像の欠損した部分を他の位置で表示させたり、あるいは投射画像を縮小して全体を表示させることで、ユーザーが不完全な情報に基づき誤解または誤認識することが防止される。
【図面の簡単な説明】
【００１２】
【図１】本発明の実施例に係る表示システムの構成を示すブロック図である。
【図２】本発明の実施例に係るＨＵＤの構成例を示す図である
【図３】本発明の実施例に係る表示システムの表示制御プログラムの機能的な構成を示す図である。
【図４】アイポイントの検出例を説明する図である。
【図５】本発明の実施例に係るアイポイント逸脱判定部の判定動作を説明する図である。
【図６】本発明の実施例に係る表示システムの動作を示すフローチャートである。
【図７】アイポイント逸脱判定部によりアイポイントが準最適範囲にあると判定されたときの投射画像の表示例を示す図である。
【図８】アイポイント逸脱判定部によりアイポイントが逸脱範囲にあると判定されたときの投射画像の表示例を示す図である。
【図９】図９（Ａ）は、従来のＨＵＤの概略構成を示す図、図９（Ｂ）は、アイポイントがアイボックス内にあるときに運転者が見る画像、図９（Ｃ）は、アイポイントがアイボックスから外れたときに運転者が見る画像を示している。
【発明を実施するための形態】
【００１３】
次に、本発明の実施の形態について図面を参照して詳細に説明する。本発明に係る表示システムは、ヘッドアップディスプレイ（ＨＵＤ）に代表される画像投射装置を含み、ＨＵＤにより車両のフロントガラスに画像を投射または投影し、この画像を実空間に重畳させ、運転者に投射画像（または投影画像）の虚像を視認させる。
【実施例】
【００１４】
図１は、本発明の実施例に係る表示システムの構成を示すブロック図である。本実施例に係る表示システム１００は、座席に関する座席情報を取得する座席情報取得部１１０、運転者の顔を撮像する撮像カメラ１２０、ＡＲ表示を行うＨＵＤ１３０、種々のデータを記憶可能な記憶部１４０、音声出力を行う音声出力部１５０、ナビゲーション装置等の画像ソースとの接続を行うインターフェース（Ｉ／Ｆ）部１６０、および各部を制御する制御部１７０を含んで構成される。
【００１５】
撮像カメラは、例えば、ステアリング近傍、あるいはインスツルメンツパネル内に設けられ、運転者の顔を正面方向から撮像する。撮像カメラによって撮像された撮像データは、制御部１７０へ出力され、制御部１７０は、撮像データに基づき運転者のアイポイント（眼の位置）を検出する。座席情報取得部１２０は、例えば、運転者の座席（シート）の前後位置、背もたれの角度、ヘッドレストの高さ方向の位置に関する座席情報を取得する。この座席情報は、座席に着座した運転者のアイポイント等を補正するために利用することができる。
【００１６】
ＨＵＤ１３０は、車両のフロントウィンドウにＡＲ表示用の画像を投射し、運転者は、視線方向に投射された画像の虚像を見ることができる。図２は、ＨＵＤの構成の一例を示す図である。ＨＵＤ１３０は、光源１３１、光源１３１からの光を集光する光学系１３２、光学系１３２から入射された光を画像データに基づき変調する光変調手段１３３、光変調手段１３３により変調された画像を投射する投射光学系１３４、投射光学系１３４の光学系（例えば、光軸や焦点距離など）を調整するためのアクチュエータ１３５を含む。
【００１７】
光変調手段１３３は、例えば、液晶デバイス、あるいは複数の可変ミラーが２次元的に配置されたディジタルミラーデバイス（ＤＭＤ）などから構成される。光変調手段１３３は、例えば、Ｉ／Ｆ部１６０を介してナビゲーション装置から提供された画像データに基づき入射光を変調し、投射画像を生成する。
【００１８】
投射光学系１３４は、例えば、レンズやミラー等の光学部材を含み、アクチュエータ１３５は、例えば、投射光学系１３４のレンズの位置やミラーの角度等を調整する。投射光学系１３４の焦点距離を可変することで、運転者が見る虚像の位置を変化させることができる。１つの例では、制御部１７０は、ＨＵＤの初期設定時、座席情報取得部１２０によって取得された座席情報に基づきアクチュエータ１３５を介して投射光学系１３４の初期調整を行う。なお、表示システム１００は、複数のＨＵＤ１３０を搭載し、それぞれ拡張現実用の画像を表示するものであってもよい。
【００１９】
記憶部１４０は、表示システム１００にとって必要な情報などを格納する。例えば、ＡＲ表示用の画像データを格納したり、その他、表示システム１００が表示するための画像データや音声出力用の音声データ等を格納することができる。音声出力部１５０は、必要に応じて記憶部１４０に記憶された音声データを音声出力する。Ｉ／Ｆ部１６０は、ナビゲーション装置、車内バス、その他の装置との接続を可能にし、制御部１７０は、Ｉ／Ｆ部に接続された装置と表示システム１００との動作を連携させる。例えば、ナビゲーション装置が接続されている場合には、表示システム１００は、ナビゲーション装置から提供された情報に基づき交差点案内の画像や速度情報等を表示する。
【００２０】
制御部１７０は、表示システム１００の各部を制御し、好ましい態様では、制御部１７０は、ＲＯＭ、ＲＡＭなどを含むマイクロコントローラ等を含み、表示システム１００の動作を制御するための表示制御プログラムを実行する。
【００２１】
図３に、表示制御プログラム２００の機能的な構成を示す図である。表示制御プログラム２００は、撮像データ取得部２１０、アイポイント検出部２２０、アイポイント逸脱判定部２３０、および投射画像制御部２４０を含む。
【００２２】
撮像データ取得部２１０は、撮像カメラ１１０から出力された運転者の撮像データを取得する。アイポイント検出部２２０は、撮像データ取得部２１０によって取得された撮像データを画像処理し、顔画像の中から眼球を抽出し、運転者のアイポイントを検出する。図４（Ａ）は、アイポイントの検出例である。アイポイント検出部２２０は、運転者Ｕの顔画像から右目ＰＲと左目ＰＬを抽出する。次に、アイポイント検出部２２０は、左右の目ＰＲ、ＰＬの中点を運転者ＵのアイポイントＰとして検出する。好ましい例では、アイポイントＰは、２次元空間におけるＸＹ座標を有するものであり、アイポイント検出部２２０は、撮像カメラ１１０の取り付け位置、座席情報に基づく座席位置に着座したときの運転者の頭の推定位置等に基づきある２次元空間におけるアイポイントＰを検出する。なお、上記の例では、運転者の右目と左目の中点をアイポイントとして検出しているが、これに限定されず、例えば、運転者の右目または左目の位置のいずれか一方をアイポイントとして検出するようにしても良い。
【００２３】
アイポイント逸脱判定部２３０は、アイポイント検出部２２０によって検出された運転者のアイポイントがアイボックスから逸脱しているか否かを判定する。アイボックスとは、上記したように、ある２次元空間において運転者Ｕが投射画像（ＡＲ画像）の虚像を見ることができる可視範囲であり、アイボックスは、ＨＵＤ１３０の光学的特性から決定される。つまり、運転者が投射画像の虚像を見るためには、運転者の視線方向のフロントウィンドウに画像が投射されなければならないが、そのフロントウィンドウへの画像の投射位置および投射角度は、投射光学系１３４により概ね決定される。従って、投射光学系１３４の光学系により、運転者が投射画像の虚像を見ることができる範囲が決定される。
【００２４】
アイポイント逸脱判定部２３０の判定動作例を図５に示す。同図において、ＥＢは、運転席側からフロントウィンドウを見たときのアイボックスを模式的に示している。アイボックスＥＢは、好ましくは、アイポイント検出部２２０により検出されるアイポイントと同じ２次元空間上の座標によって特定される。ここでは、一例としてアイボックスＥＢが矩形状を有しているが、その理由の１つは、アイポイントがアイボックスＥＢ内に位置しているか否かの判定を容易にするためである。従って、アイボックスＥＢの平面形状は、必ずしも矩形状に限られるものではなく、投射光学系１３４の光学的特性により決定される可視範囲に概ね一致するような形状であってもよい。
【００２５】
アイポイント逸脱判定部２３０は、検出されたアイポイントとアイボックスＥＢとを比較し、アイポイントがアイボックスＥＢ内にあるか否かを判定する。本実施例では、アイポイントがアイボックスＥＢ内にあるか否かを複数レベルで判定する。すなわち、図５に示すように、アイポイントＰがアイボックスＥＢよりさらに狭い最適範囲Ｔ１内にあるか否か、アイポイントＰが最適範囲Ｔ１より外れるがアイボックスＥＢより内側の準最適範囲Ｔ２にあるか否か、アイポイントＰがアイボックスＥＢの外側の逸脱範囲Ｔ３にあるか否かを判定する。
【００２６】
最適範囲Ｔ１は、アイボックスＥＢの境界からさらに内側の境界を規定し、例えば、アイボックスＥＢを一定の割合で縮小した矩形状の範囲である。最適範囲Ｔ１は、この範囲内にアイポイントＰがあるとき、運転者Ｕが投射画像の虚像を完全に見ることができることを保証する。
【００２７】
準最適範囲Ｔ１は、最適範囲Ｔ１の境界とアイボックスＥＢの境界との間の範囲であり、準最適範囲Ｔ１内にアイポイントＰがあるとき、運転者Ｕは、投射画像の虚像を完全に見ることができるが、その虚像の一部が欠ける前段階、あるいは、虚像が最適位置からずれて見える状態、あるいは、投射画像の虚像の一部が欠けて見える状態である。つまり、視線領域Ｐが準最適領域Ｔ２にあるとき、投射画像の虚像を視認することはできるが、同時に、アイボックスＥＢを逸脱する可能性を備えている。
【００２８】
逸脱範囲Ｔ３は、アイボックスＥＢの境界の外側であり、アイポイントＰが逸脱範囲Ｔ３にあるとき、運転者Ｕは、投射画像の虚像を見ることができないか、あるいは大部分が欠けた虚像を見ることになり、投射画像の内容を認識することができない状態である。
【００２９】
アイポイント逸脱判定部２３０は、一定の周期であるいは常時、アイポイントがアイボックスＥＢの最適範囲Ｔ１、準最適範囲Ｔ２、あるいは逸脱範囲Ｔ３にあるか否かを判定し、その判定結果を投射画像制御部２４０へ提供する。投射画像制御部２４０は、アイポイント逸脱判定部２３０の判定結果に基づき投射画像の制御を行う。好ましい態様では、投射画像制御部２４０は、アイポイントが最適範囲Ｔ１内にあると判定された場合には、別段、特別な制御を行わず、つまり、通常通りの投射画像を表示させる。
【００３０】
アイポイントが準最適範囲Ｔ２内にあると判定された場合には、運転者は、投射画像を認識できる状態にある。しかし、アイポイントが逸脱範囲Ｔ３に接近しており、さらにアイポイントが移動すれば、逸脱範囲Ｔ３に進入し、投射画像の全体を見ることができなくなる状況にあることを運転者に知らせる必要がある。このため、投射画像制御部２４０は、アイポイントが準最適範囲Ｔ２のどの方向に位置するかを識別し、その識別結果に基づき運転者の顔がどの方向に移動すれば、投射画像を見ることができなくなるのかを知らせる表示を行う。例えば、投射画像制御部２４０は、アイポイントが準最適範囲Ｔ２の４辺（上側、下側、左側、右側）のいずれかに該当するかを識別し、そのアイポイントが存在する側に強調表示が生成されるように画像データの加工を行う。
【００３１】
アイポイントが逸脱範囲Ｔ３にあると判定された場合には、運転者は、投射画像の全体またはその大部分を見ることができず、運転者は、投射画像の内容を理解することができない。このため、投射画像制御部２４０は、例えば、欠損した投射画像に含まれる機能を非提供にしたり、欠損した投射画像を別のエリアに移動させたり、ＨＵＤによる表示をオフにするように画像データの加工を行う。
【００３２】
次に、本実施例の表示システムの動作を図６に示すフローチャートを参照して説明する。表示システム１００の動作が開始されると、撮像カメラ１１０により運転者の顔が撮像され、その撮像データが撮像データ取得部２１０によって取得される（Ｓ１００）。アイポイント検出部２２０は、撮像データ取得部２１０により取得された撮像データを解析し、運転者のアイポイントを検出する（Ｓ１０２）。次に、アイポイント逸脱判定部２３０は、図５に示したようにアイポイントとアイボックスとを比較し、アイポイントが最適範囲Ｔ１、準最適範囲Ｔ２あるいは逸脱範囲Ｔ３にあるのかを判定し（Ｓ１０４）、その判定結果が投射画像制御部２４０へ提供される。
【００３３】
投射画像制御部２４０は、判定結果に基づき、投射画像の制御を行う。アイポイントが最適範囲Ｔ１内にあるとき（Ｓ１０６）、ＨＵＤ１３０の光変調手段１３３は、提供される画像データに基づき光学的変調を行い、通常通りの画像を表示させる（Ｓ１０８）。例えば、表示システム１００がナビゲーション装置と連携し、表示システム１００が、図７（Ａ）に示すような交差点案内画像３００を表示させる場合を想定する。交差点案内画像３００には、右折矢印と交差点までの距離（２００ｍ）との情報が含まれる。アイポイントＰが最適範囲Ｔ１内であれば、運転者は、交差点案内画像３００を完全に見ることができ、その情報を認識することができる。
【００３４】
アイポイントＰが準最適範囲Ｔ２にあるとき（Ｓ１１０）、投射画像制御部２４０は、画像データの一部を加工し、アイポイントがさらに移動すれば、表示が欠損するであろう方向を識別し、そのことを知らせるための強調表示を行う。さらに、これに加えて、アイポイントが最適範囲になる方向を知らせるためのヒント表示を行う（Ｓ１１２）。図７（Ｂ）に示すように、例えば、アイポイントＰがアイボックスＥＢの準最適範囲Ｔ２の左辺側にあるとき、アイポイントＰがさらに左方向に移動すれば、交差点案内画像３００が欠損する。このため、投射画像制御部２４０は、交差点案内画像３００の右辺側に強調表示３１０が生成されるように画像データを加工する（なお、アイボックスＥＢの左右方向と、投射画像の左右方向とは反転する関係にある）。同様に、アイポイントＰがアイボックスＥＢの準最適位置Ｔ２の右辺側にあれば、投射画像制御部２４０は、交差点案内画像３００の左辺側に強調表示が生成されるように画像データを加工する。また、アイポイントＰがアイボックスＥＢの準最適位置Ｔ２の上辺側にあれば、画像制御部２４０は、交差点案内画像３００の上辺側に強調表示が生成されるように画像データを加工し、アイポイントＰがアイボックスＥＢの準最適位置Ｔ２の下辺側にあれば、画像制御部２４０は、交差点案内画像３００の下辺側に強調表示が生成されるように画像データを加工する。
【００３５】
強調表示３１０の態様は、特に限定されないが、交差点案内画像３００の辺全体の表示に限らず、辺の一部に表示されるようにしてもよい。また、強調表示３１０の形状も任意である。さらに強調表示３１０は、例えば、黄色のような注意を喚起するような色、背景色と異なる色、あるいは点滅表示であることができる。さらに、強調表示３１０は、テキストを含むようにしてもよく、例えば、「これ以上、頭を移動させると、ＨＵＤの表示を見ることができなくなります」等の警告であってもよい。さらに制御部１７０は、音声出力部１５０から上記の警告の音声出力をさせるようにしてもよい。
【００３６】
また、投射画像制御部２４０は、運転者が頭をどの方向にむければ最適範囲Ｔ１になるのかを知らせるようなヒント表示（案内表示）を行うことができる。例えば、図７（Ｃ）に示すように、強調表示３１０と併せて、投射画像が欠損しないようにするための頭（アイポイント）の移動方向を示すヒント表示３２０が生成されるように画像データデータを加工する。すなわち、ファインポジションになるための方向を示すヒント表示３２０が、例えば、矢印の下方に表示させる。図７（Ｃ）のヒント表示３２０は、運転者に頭を右側へ移動させるための誘導矢印を含んでいる。
【００３７】
また、図７（Ｄ）に示すように、表示システム１００が２つのＨＵＤ１３０を搭載している場合には、一方のＨＵＤに交差点案内画像３００と強調表示３１０を生成させ、他方のＨＵＤにヒント表示３２０を生成させるように画像データを加工するようにしても良い。２つのＨＵＤを搭載する場合、交差点案内画像３００と異なる焦点距離でヒント表示３２０を生じさせるようにすることができる。また、制御部１７０は、ヒント表示３２０の内容を音声出力部１５０から音声出力させるようにしてもよい。
【００３８】
再び図６のフローに戻り、投射画像制御部２４０は、アイポイントがアイボックスＥＢの外側にあるとき（Ｓ１１０）、投射画像の表示態様が切替わるように画像データを加工する（Ｓ１１４）。具体的な表示態様の切替例について説明する。図８（Ａ）は、アイポイントＰが最適範囲Ｔ１内にあるときの交差点案内画像４００の例であり、交差点案内画像４００は、左側の領域４１０に右折矢印と交差点までの距離（２００ｍ）を表示し、右側の領域４２０に、自車位置周辺の道路地図を表示している。いわゆる２つの機能が２画面で表示される態様である。アイポイントＰが最適範囲Ｔ１内であれば、運転者は、２つの画面を完全に見ることができる。
【００３９】
アイポイントＰが逸脱範囲Ｔ３になると、例えば、図８（Ｂ）に示すように交差点案内画像４００の左側の領域４２０の一部の画像が欠損して見ることができなくなる。画像が欠損されてしまうと、運転者は、それが何を意味するのかを認識することができない。このような場合には、欠損された画像を残すことは好ましくないので、欠損した画像を含む機能が非提供となるように画像データを加工する。投射画像制御部２４０は、アイボックスとアイポイントとの相対的な関係から、投射画像のどの領域がどの程度欠損するかを判定し、欠損する領域の画像が非表示となるように画像データを加工する。その結果、図８（Ｃ）に示すように、交差点案内画像４００の左側の領域の矢印画像が非表示にされ、右側の領域４２０の画像のみが表示される。
【００４０】
他の表示態様の切り換えでは、投射画像制御部２４０は、図８（Ｄ）に示すように、交差点案内画像４００を縮小して全体が表示されるように画像データを加工する。さらに他の表示態様として、欠損すると推測される画像の表示位置を変更するようにしても良い。例えば、図８（Ｅ）に示すように、交差点案内画像４００の左側の領域４１０の画像が、欠損されない右側の領域４２０に表にされるように画像データを加工する。さらには、表示システム１００が２つのＨＵＤを搭載する場合には、一方のＨＵＤに道理地図画像を表示させ、他方のＨＵＤに右折矢印Ｙ等を表示させるようにしてもよい。さらに、他の表示態様として、アイポイントＰが逸脱範囲Ｔ３にある場合には、投射画像制御部２４０は、光変調手段１３３への画像データの提供を停止させ、ＨＵＤによる画像投射をＯＦＦにするようにしてもよい。この場合、ＨＵＤによるＡＲ画像は完全に表示されない。
【００４１】
以上説明したように本実施例によれば、運転者のアイポイントが最適範囲、準最適範囲、または逸脱範囲であるか否かに基づき投射画像の表示態様を制御し、運転者の頭部の位置に関する注意喚起および適正位置への誘導を行うようにしたので、運転者は、アイボックス（最適範囲）の位置がわからなくとも、投射画像を見ることで適正位置へ頭部を容易に戻すことが可能になる。
【００４２】
さらには、アイポイントがアイボックスから完全に逸脱した場合には、不完全な表示を非提示にすることで、運転者に誤った情報を与えたり、あるいは誤解が生じるのを防止することができる。さらに、不完全となり得る画像の表示位置をシフトさせることで、投射画像の一部が欠損されることことなく全体を表示させることができる。これにより、全体としては、ＨＵＤによる投射画像を見ることへの煩わしさが軽減され、運転による疲労を軽減することができる。
【００４３】
上記実施例では、運転者のアイポイントの逸脱を判定する範囲として、Ｔ１、Ｔ２、Ｔ３の３段階を定義したが、これに限らず、例えば、４段階または５段階の範囲を定義し、それぞれの範囲に応じて、投射画像の表示態様を制御するようにしてもよい。
【００４４】
以上、本発明の好ましい実施の形態について詳述したが、本発明は、特定の実施形態に限定されるものではなく、特許請求の範囲に記載された発明の要旨の範囲において、種々の変形、変更が可能である。
【符号の説明】
【００４５】
１００：表示システム                        １１０：撮像カメラ
１２０：座席情報取得部                      １３０：ＨＵＤ
１４０：記憶部                              １５０：音声出力部
１６０：インターフェース部                  １７０：制御部
３００、４０００：交差点案内画像            ３１０：強調表示
３２０：ヒント表示
Ｐ：アイポイント
ＥＢ：アイボックス
Ｔ１：最適範囲
Ｔ２：準最適範囲
Ｔ３：逸脱範囲
Ｕ：運転者
【図１】
2019018770.tif 000003
【図２】
2019018770.tif 000004
【図３】
2019018770.tif 000005
【図４】
2019018770.tif 000006
【図５】
2019018770.tif 000007
【図６】
2019018770.tif 000008
【図７】
2019018770.tif 000009
【図８】
2019018770.tif 000010
【図９】
2019018770.tif 000011